(57)【要約】【課題】摘み部からの開封がしやすい紙箱を提供し、併せてそれを組み立てるためのブランク板を提供すること。【解決手段】開封用のミシン目α〜γに沿って破断を開始するための摘み部１１ａが板紙１５の上に重なった状態で設けられており、その摘み部１１ａの端縁にかかる状態で外向きのエンボスＥが形成されている。摘み部１１ａの端縁がエンボスＥにより凸状に膨らんでいるので、摘み部１１ａに対する指先の引っ掛かりがよくなり、エンボスを設けないものに比べると摘み部からの開封がしやすい。【選択図】図１
2007254026.tif 000002
【特許請求の範囲】
【請求項１】
板紙からなるブランク板を組み立てて形成される紙箱であって、開封用のミシン目に沿って破断を開始するための摘み部が板紙の上に重なった状態で設けられており、その摘み部の端縁にかかる状態で凸状のエンボスが形成されていることを特徴とする紙箱。
【請求項２】
請求項１に記載の紙箱を形成するためのブランク板であって、開封用のミシン目に沿って破断を開始するための摘み部が、ブランク板を箱形状に組み立てた時に板紙の上に重なる部位に設けられており、その摘み部の端縁にかかる状態で凸状のエンボスが形成されていることを特徴とするブランク板。
【発明の詳細な説明】
【技術分野】
【０００１】
本発明は、板紙からなる紙箱の技術分野に属し、詳しくは、開封を開始するための摘み部を有する紙箱及びそれを形成するためのブランク板に関するものである。
【背景技術】
【０００２】
従来、菓子類等を入れて販売するための紙箱として、サック貼りしたブランク板を角筒状に起こし、一方の開口を閉じてからもう一方の開口より内容物を充填して閉じることで箱型とするシールエンド型のものが多く利用されている。このタイプの紙箱は、内容物を取り出すための開封機構を設けている。例えば、閉鎖部分に帯状のジッパーを設けたものや、胴部を周回する帯状のジッパーを設けたものがある。特に、再封できるようにするため、摘み部とそれに対応した位置にスリットを設けておき、摘み部からミシン目を破断を開始して開封し、閉じる際には摘み部をスリットに係止するようにしたタイプも多く用いられている。
【特許文献１】特開平７−２５７５５８号公報
【特許文献２】特開平８−１１８６９号公報
【特許文献３】特開２００１−１３９０２５号公報
【発明の開示】
【発明が解決しようとする課題】
【０００３】
上記した紙箱は、通常は開封を開始するための摘み部を設けてあるので、その摘み部を利用してミシン目を破断することで紙箱を開封し、内容物を取り出すことができる。特に、摘み部とそれに対応したスリットを設けたものは、内容物を残した状態で閉じることができ、内容物が菓子類等の場合にあっては、残した状態で再封できるので使い勝手がよいという利点がある。しかしながら、摘み部は紙箱の側面や端面において板紙同士が重なったところに設けるので、摘み部が下側の板紙に接した状態になり、指先が摘み部の先端になかなか引っ掛からずに開けにくいという問題がある。
【０００４】
本発明は、このような問題点に鑑みてなされたものであり、その目的とするところは、摘み部からの開封がしやすい紙箱を提供し、併せてそれを組み立てるためのブランク板を提供することにある。
【課題を解決するための手段】
【０００５】
請求項１に記載の発明である紙箱は、開封用のミシン目に沿って破断を開始するための摘み部が板紙の上に重なった状態で設けられており、その摘み部の端縁にかかる状態で凸状のエンボスが形成されていることを特徴としている。
【０００６】
請求項２に記載の発明であるブランク板は、請求項１に記載の紙箱を形成するためのブランク板であって、開封用のミシン目に沿って破断を開始するための摘み部が、ブランク板を箱形状に組み立てた時に板紙の上に重なる部位に設けられており、その摘み部の端縁にかかる状態で凸状のエンボスが形成されていることを特徴としている。
【発明の効果】
【０００７】
請求項１に記載の紙箱は、開封用のミシン目に沿って破断を開始するための摘み部が設けられており、その摘み部の端縁がエンボスにより凸状に膨らんでいるので、摘み部に対する指先の引っ掛かりがよくなり、エンボスを設けないものに比べると摘み部からの開封がしやすいという利点がある。
【０００８】
請求項２に記載のブランク板は、原反からブランク板を打ち抜く際に、或いは打ち抜いた後で、摘み部の端縁にかかるように凸状のエンボスを形成するだけで作製することができ、大きな手間を加えることなく、摘み部からの開封操作が良好な紙箱を提供することができる。
【発明を実施するための最良の形態】
【０００９】
次に、本発明の実施の形態について図面を参照しながら詳細に説明する。
【００１０】
図１は本発明に係る紙箱の一例を示す斜視図、図２は図１の紙箱を形成するブランク板の平面図である。
【００１１】
図１の紙箱Ａ1 は菓子類を収納するためのもので、外観は直方体形状をしており、図２に示すブランク板Ｂ1 を組み立てて作製される。
【００１２】
ブランク板Ｂ1 は、紙器用の板紙を打ち抜いて形成したもので、図２に示すように、折線ａ，ｂ，ｃ，ｄを介して前面外側パネル１１、上面パネル１２、背面パネル１３、底面パネル１４、前面パネル１５が順次連設されている。そして、上面パネル１２の左右辺にはそれぞれ折線ｅを介して上面側端面パネル１６が連設され、背面パネル１３の左右辺にはそれぞれ折線ｆを介して端面フラップ１７が連設され、底面パネル１４の左右辺にはそれぞれ折線ｇを介して底面側端面パネル１８が連設され、前面パネル１５の左右辺にはそれぞれ折線ｈを介して端面フラップ１９が連設されており、前面外側パネル１１は背面パネル１３や前面パネル１５よりも高さが低くなっている。
【００１３】
前面外側パネル１１には、その先端中央に端縁から内側に延びる一対のミシン目αと端縁に平行な折線ｉとにより摘み部１１ａが設けられている。また、折線ｉの中央部分は外向き半円状の切込になっており、この切込により摘み部１１ａの端縁と反対側に凸部１１ｂが形成されている。そして、摘み部１１ａを区画する一対のミシン目αの先端からそれぞれミシン目βが末広がり状態で形成され、その２本のミシン目βは上面パネル１２の両サイドに沿って形成された２本のミシン目γにそれぞれ繋がる状態で形成されている。これらの連続するミシン目α、β，γは開封用のミシン目であって、このうち摘み部１１ａに続くミシン目β，γは図示のように連続する「く」の字状の切込みにより形成されており、ブランク板Ｂ1 を箱とした時に、摘み部１１ａを摘んで引っ張ることでまずミシン目αを破断し、続いて摘み部１１ａをそのまま引っ張ることでミシン目β，γを破断して前面外側パネル１１と前面パネル１５に渡る大きな部分を開閉領域として開けることができるようになっている。また、前面パネル１５のほぼ中央には、凸部１１ｂに対応した位置に差込み用のスリット１５ａが形成されている。
【００１４】
そして、前面外側パネル１１の摘み部１１ａには、図示のように、端縁にかかる状態で且つ板紙の表側に膨らむ状態で半円状の２段エンボスＥが形成されている。この端縁にかかる２段のエンボスＥは、例えば、原反からブランク板を打ち抜く際に、図３に示すようなエンボス加工用の雄型（押し丸罫１）と雌型３、及び摘み部１１ａの端縁を形成する切込線２ａを入れるための抜き刃２を用いて形成される。ここで、雌型となる部品は半円筒形で二重となった押し丸罫１で、これと雌型３との間に原反が挟まり、プレスされることで２段エンボスＥが形成される。
【００１５】
図４は抜き刃２と雌型３を部分的に別の角度から見た状態で示す説明図、図５は原反がプレスされてエンボスが形成された状態を示す断面図であり、図５において４は原反、５は押し丸罫１と抜き刃２を固定する木型、６はプレス面の面板である。
【００１６】
通常紙箱のブランクを作製するには、図６に示すように、木型５に両刃の抜き刃７を埋め込んだ抜き型を用いて、原反４を面板６の上に置き、抜き型を上から押し込むようにプレスして型抜きする。この原反４の切り方は、例えばカッター刃で紙を切るように刃をカット線に沿って水平方向に移動しながら切るという訳ではなく、抜き刃７が垂直に降りてきて、原反４が面板６に押し当てられる圧力で切れるため、打ち抜きによる切り方となる。この方式でエンボスの端縁を打ち抜こうとすると、図７に示すように、原反４と面板６の間に雌型３の厚み分の隙間が発生して原反４が浮いてしまい、うまく切れない。これを無理に押していくと切れることは切れるが、雄型３の端部と両刃の抜き刃７との中心線のギャップ８に原反４が引き込まれてちぎれる形となるため、切り口がギザギザになり、紙の繊維が露出して汚い切り口となるので、従来このような端面のエンボスは量産品としては不向きで敬遠されていた。
【００１７】
そこで、本発明のブランク板を形成するに際しては、図８に示すように、抜き刃２を両刃から片刃とし、その抜き刃２の裏面が雌型３の端部と擦り合うように木型５に取り付けた抜き型を用いることで、紙が鋏で切られるように綺麗に切断できる配置とした。すなわち、雌型３の端部エッジと片刃の抜き刃２とが鋏の刃の役割を果たし、図５に示すように、原反４を綺麗にシェアカットすることとなり、良好な切り口を得ることができた。この時、雌型３が僅かにずれて抜き刃２に衝突しても刃が欠けないように、雌型３は抜き刃２より柔らかな素材で、かつ紙の圧力により滑らない程度の硬さを持った素材を選定するとよい。具体的には、ベークライト、アルミ合金、真鍮などが挙げられる。
【００１８】
ブランク板Ｂ1 は、前面パネル１５の表側を前面外側パネル１１の裏側に貼り合わせたサック貼り状態で折り畳まれる。この時、前面外側パネル１１における摘み部１１ａとそれに続く開閉領域を除いた部分で前面パネル１５と糊付けする。そして、この折り畳んだブランク板を組み立てるには、まず折り畳んだブランク板を角筒状に起こした後、一方の端面側で端面フラップ１７，１９をそれぞれ内側に折り曲げてから、底面側端面パネル１８と上面側端面パネル１６を順次折り曲げて貼り合わせる。次いで、他方の端面側から内容物を投入してから、他方の端面側も同様に閉じる。このようにして図１に示す内容物が入った紙箱Ａ1 が作製される。
【００１９】
このようにして作製された図１の紙箱Ａ1 は、ミシン目αを破断し、開封用のミシン目β，γに沿って破断を開始するための摘み部１１ａが前面パネル１５の上に重なった状態で設けられており、その摘み部１１ａの端縁にかかる状態で凸状のエンボスＥが形成されたものとなる。そして、このタイプの紙箱は、摘み部が前面外側パネルの端縁に位置しているので、例えば特許文献３に記載の紙箱のように摘み部を端縁に位置させず、摘み部用の開口を形成したような紙箱に比べると、前面外側パネルを延長する必要がないことから、使用する板紙の面積が小さくて済む。さらに、これによって原紙へのブランク板の割付けを最適化して面付け数を１列等増やすことができれば、コストを抑えることができる。また、摘み部用の開口を形成したような紙箱に比べると、前面外側パネルを延長する必要がないことから、その分ミシン目βの角度を大きくとることができ、スムースな破断ができる。
【００２０】
この紙箱Ａ1 を開封するに際しては、前面外側パネル１１の摘み部１１ａを指先で摘んで引っ張り上げる。この時、摘み部１１ａの下には前面パネル１１が位置しているが、摘み部１１ａの端縁が２段エンボスＥにより若干浮き上がった状態になっているので、指先の引っ掛かりがよくなっている。したがって、指先で摘み部１１ａの下にある前面パネル１１を押しながら摘み部１１ａを引っ張ることでミシン目αに続いてミシン目β，γが破断され、前面外側パネル１１と上面パネル１２とに渡って開封される。このように開封すると、摘み部１１ａのあったところに、前面パネル１５のスリット１５ａが現れる。そして、開封領域で蓋をして前面外側パネル１１の凸部１１ｂを前面パネル１５のスリット１５ａに差し込むことで、一旦開けた紙箱Ａ1 を再封することができる。
【００２１】
図９は図１に示した紙箱の第１の変形例を示す斜視図、図１０は図９の紙箱を形成するブランク板の平面図である。
【００２２】
この紙箱Ａ1 は、サック貼りする際の糊付け位置を工夫している。すなわち、前面外側パネル１１と前面パネル１５を貼り合わせてサック貼りする際に、通常はライン状のパターンで摘み部１１ａの際まで糊付けするが、この例では摘み部１１ａの両側に糊逃げ部を残すようにし、貼り合わせ部Ｓを若干短くした。それと同時に摘み部１１ａの横幅を大きく設計した。
【００２３】
このように、摘み部１１ａの横幅を大きくするとともに、摘み部１１ａの両側に糊逃げ部を残したことにより、開封時に摘み部１１ａの下を指先で押した際に、摘み部１１ａはつぶれずに下の前面パネル１５のみが凹んでその隙間が大きくなり、指先の引っ掛かりが良くなってより開封しやすくなる。
【００２４】
図１１は図１に示した紙箱の第２の変形例を示す斜視図、図１２は図１１の紙箱を形成するブランク板の平面図である。
【００２５】
この紙箱Ａ1 は、図９の紙箱と同様、摘み部１１ａの横幅を大きくし、その摘み部１１ａの両側に糊逃げ部を残してあり、さらに加えて、糊逃げ部に対応する部位に凸部１５ｂを形成し、摘み部１１ａの下側に凹部１５ｃを形成している。すなわち、図１２のブランク板Ｂ1 を見れば分かるように、前面パネル１５において２箇所の糊逃げ部に対応する位置にそれぞれエンボス加工で凸部１５ｂを形成するとともに、摘み部１１ａの端縁に対応する位置に逆エンボス加工で凹部１５ｃを形成している。これらの凸部１５ｂと凹部１５ｃは原反からのブランクＢ1 の打抜きと同時に形成される。
【００２６】
このように、摘み部１１ａに隣接する糊逃げ部のところに凸部１５ｂがあることにより、摘み部１１ａが持ち上がった状態になるので指先の引っ掛かりが良くなる。また、摘み部１１ａの下側に凹部１５ｃがあることにより、摘み部１１ａに対する指先の引っ掛かりがさらに良くなる。なお、図１１の紙箱Ａ1 では、凸部１５ｂと凹部１５ｃの両方を設けているので、これらの相乗効果が発揮されるが、何れか一方だけを設けてあっても引っ掛かりが良くなる効果はある。
【００２７】
図１３は図１に示した紙箱の第３の変形例を示す斜視図、図１４は図１３の紙箱を形成するブランク板の平面図である。
【００２８】
この紙箱Ａ1 は、摘み部１１ａの横幅を大きくするとともにその先端位置を前面外側パネル１１の先端から上方へシフトしている。また、図９の紙箱と同様、摘み部１１ａの両側に糊逃げ部を残してあり、さらに摘み部１１ａの下側に凹部１５ｃを形成している。
【００２９】
このように、摘み部１１ａの位置を上方へシフトしたことにより、開封時に摘み部１１ａの下を指先で押した際に、サック貼りされている箇所から上方に離れた位置で下の前面パネル１５を押すことになるので、押された下の前面パネル１５が大きくへこんでその隙間が大きくなり、さらに開封しやすくなる。しかもこの紙箱Ａ1 では、摘み部１１ａの下側に凹部１５ｃを形成しているので、摘み部１１ａに対する指先の引っ掛かりがさらに良くなる。
【００３０】
図１５は図１に示した紙箱の第４の変形例を示す斜視図、図１６は図１５の紙箱を形成するブランク板の平面図である。
【００３１】
この紙箱Ａ1 は、図１３に示した紙箱Ａ1 において、糊逃げ部に対応する位置に凸部１５ｂを形成したものである。すなわち、横幅を大きくした摘み部１１ａの位置を上方にシフトし、その摘み部１１ａの両側に残した糊逃げ部に対応する位置に凸部１５ｂを形成しており、さらに摘み部１１ａの下側に凹部１５ｃを形成している。したがって、図１３の紙箱Ａ1 に比べると、摘み部１１ａに隣接する糊逃げ部のところに凸部１５ｂがあることにより、摘み部１１ａが持ち上がった状態になるので、凹部１５ｃの存在と相まってさらに指先の引っ掛かりが良くなる。
【００３２】
図１７は図１に示した紙箱の第５の変形例を示す斜視図、図１８は図１７の紙箱を形成するブランク板の平面図である。
【００３３】
この紙箱Ａ1 は、図１３に示した紙箱Ａ1 のおいて、摘み部１１ａの先端を円弧状にカットした形状としたものである。すなわち、横幅を大きくした摘み部１１ａの位置を上方にシフトするとともにその先端を丸く凹んだ形状にし、さらに摘み部１１ａの下側に凹部１５ｃを形成している。したがって、図１３の紙箱Ａ1 に比べると、摘み部１１ａの先端を丸くしたことにより、指先の掛かり位置がさらに上方にシフトするので引っ掛かりが良くなる。なお、図１の紙箱Ａ1 において、摘み部１１ａの先端を円弧状にカットした形状とするだけでも指先の掛かりを良くする効果がある。
【００３４】
図１９は本発明に係る紙箱の別の例を示す斜視図、図２０は図１９の紙箱を形成するブランク板の平面図である。
【００３５】
図１９の紙箱Ａ2 も菓子類を収納するためのもので、外観は直方体形状をしており、図２０に示すブランク板Ｂ2 を組み立てて作製される。
【００３６】
ブランク板Ｂ2 は、紙器用の板紙を打ち抜いて形成したもので、図２０に示すように、折線ａ，ｂ，ｃ，ｄを介して側面パネル２１、上面パネル２２、側面パネル２３、底面パネル２４、糊付けフラップ２５が順次連設されている。そして、側面パネル２１の左右辺にはそれぞれ折線ｅを介して端面フラップ２６が連設され、上面パネル２２の左右辺にはそれぞれ折線ｆを介して上面側端面パネル２７が連設され、側面パネル２３の左右辺にはそれぞれ折線ｇを介して端面フラップ２８が連設され、底面パネル２４の左右辺にはそれぞれ折線ｈを介して底面側端面パネル２９が連設されており、上面側端面パネル２７と底面側端面パネル２９は、ともに側面パネル２１，２３よりも高さが低くなっている。
【００３７】
一方の上面側端面パネル２７には、その先端中央に一対の切欠によって摘み部２７ａが設けられている。そして、摘み部２７ａの両側からパネル中程まで末広がりに延びてさらにそこから横方向に広がって延びる２本のミシン目αが形成されている。このミシン目αは開封用のミシン目であって、図示のように連続する「く」の字状の切込みにより形成されており、ブランク板Ｂ2 を箱とした時に、摘み部２７ａを摘んで引っ張ることでミシン目αを破断してこの上面側端面パネル２７を二分することで開封できるようになっている。また、この上面側端面パネル２７と同じ側の底面側端面パネル２９のほぼ中央には、摘み部２７ａに対応した位置に差込み用のスリット２９ａが形成されている。
【００３８】
そして、一方の上面側端面パネル２７の摘み部２７ａには、図示のように、端縁にかかる状態で且つ板紙の表側に膨らむ状態で多角形状の２段エンボスＥが形成されている。この端縁にかかる２段エンボスＥは、先に図３〜図５及び図８により説明したのと同様な方法で形成することができる。ただし、この場合は押し丸罫１の代わりに多角形状の押し角罫を使用する。
【００３９】
ブランク板Ｂ2 は、糊代フラップ２５の表側を側面パネル２１の裏側に貼り合わせたサック貼り状態で折り畳まれる。そして、この折り畳んだブランク板を組み立てるには、まず折り畳んだブランク板を角筒状に起こした後、一方の端面側で端面フラップ２６，２８をそれぞれ内側に折り曲げてから、底面側端面パネル２９と上面側端面パネル２７を順次折り曲げて貼り合わせる。次いで、他方の端面側から内容物を投入してから、他方の端面側も同様に閉じる。この時、開封機構を設けた側を閉じる際には、上面側端面パネル２７における摘み部２７ａとそれに続くミシン目αで囲まれた領域を除いた部分で底面側端面パネル２９と糊付けする。このようにして図１９に示す内容物が入った紙箱Ａ2 が作製される。
【００４０】
このようにして作製された図１９の紙箱Ａ2 は、ミシン目αに沿って破断を開始するための摘み部２７ａが底面側端面パネル２９の上に重なった状態で設けられており、その摘み部２７ａの端縁にかかる状態で凸状のエンボスＥが形成されたものとなる。
【００４１】
この紙箱Ａ2 を開封するに際しては、一方の上面側端面パネル２７の摘み部２７ａを指先で摘んで引っ張り上げる。この時、摘み部２７ａの下には底面側端面パネル２９が位置しているが、摘み部２７ａの端縁が２段エンボスＥにより若干浮き上がった状態になっているので、指先の引っ掛かりがよくなっている。したがって、指先で摘み部２７の下にある底面側端面パネル２９を押しながら摘み部２７ａを摘んで引っ張ることでミシン目αが破断され、摘み部２７ａとそれに続く領域が底面側端面パネル２９から自由になり、上面側端面パネル２７の残りの部分が底面側端面パネル２９に付いた状態で端面が開封される。このように開封すると、摘み部２７ａのあったところに、底面側端面パネル２９のスリット２９ａが現れる。そして、底面側端面パネル２９の上から上面側端面パネル２７を被せて摘み部２７ａを底面側端面パネル２９のスリット２９ａに差し込むことで、一旦開けた紙箱Ａ2 を再封することができる。
【００４２】
図２１は図１９に示した紙箱の変形例を示す斜視図、図２２は図２１の紙箱を形成するブランク板の平面図である。
【００４３】
この紙箱Ａ2 は、摘み部２７ａの先端を真っ直ぐにし、その摘み部２７ａの端縁にかかるエンボスＥを半円状で２段形状に形成するとともに、摘み部２７ａの下側に凹部２９ｂを形成している。すなわち、図２２のブランク板Ｂ2 を見れば分かるように、底面側端面パネル２９において摘み部２７ａの端縁に対応する位置に逆エンボス加工により凹部２９ｂを形成している。この凹部２９ｂは原反からのブランクＢ2 の打抜きと同時に形成される。
【００４４】
このように、摘み部２７ａの下側に凹部２９ｂがあることで、摘み部２７ａに対する指先の引っ掛かりがさらに良くなる。なお、このタイプの紙箱Ａ2 にあっても、前記した紙箱Ａ1 と同様、上面側端面パネル２７と底面側端面パネル２９の貼り合わせ部に糊逃げ部を設けるようにしてもよいし、糊逃げ部に対応して底面側端面パネル２９に凸部を設けるようにしてもよい。また、摘み部２７ａを上方にシフトさせてもよいし、摘み部２７ａの先端を円弧状にカットした形状にしてもよい。
【００４５】
図２３は本発明に係る紙箱のさらに別の例を示す斜視図、図２４は図２３の紙箱を形成するブランク板の平面図である。
【００４６】
図２３の紙箱Ａ3 も菓子類を収納するためのもので、外観は直方体形状をしており、図２４に示すブランク板Ｂ3 を組み立てて作製される。
【００４７】
ブランク板Ｂ3 は、紙器用の板紙を打ち抜いて形成したもので、図２４に示すように、折線ａ，ｂ，ｃ，ｄを介して側面パネル３１、上面パネル３２、側面パネル３３、底面パネル３４、糊付けフラップ３５が順次連設されている。そして、側面パネル３１の左右辺にはそれぞれ折線ｅを介して端面フラップ３６が連設され、上面パネル３２の左右辺にはそれぞれ折線ｆを介して上面側端面パネル３７が連設され、側面パネル３３の左右辺にはそれぞれ折線ｇを介して端面フラップ３８が連設され、底面パネル３４の左右辺にはそれぞれ折線ｈを介して底面側端面パネル３９が連設されており、上面側端面パネル３７と底面側端面パネル３９は、ともに側面パネル３１，３３よりも高さが低くなっている。
【００４８】
一方の上面側端面パネル３７には、先端から少し中に入ったところに端縁と平行な切込み線３７ａが形成され、その切込み線３７ａの両端寄りの２点から始まりそれぞれパネルの後方付近まで末広がりで延びてそこから横方向に広がって延びる２本のミシン目線αが形成されており、切込み線３７ａとこの２本のミシン目αとより摘み部３７ｂが設けられている。ミシン目αは開封用のミシン目であって、図示のように連続する「く」の字状の切込みにより形成されており、ブランク板Ｂ3 を箱とした時に、摘み部３７ｂを摘んで引っ張ることでミシン目αを破断してこの上面側端面パネル３７を二分することで開封できるようになっている。また、この上面側端面パネル３７と同じ側の底面側端面パネル３９のほぼ中央には、摘み部３７ｂに対応した位置に差込み用のスリット３９ａが形成されている。
【００４９】
そして、一方の上面側端面パネル３７の摘み部３７ｂには、図示のように、端縁にかかる状態で且つ板紙の表側に膨らむ状態で半円状の２段エンボスＥが形成されている。この端縁にかかる２段エンボスＥは、先に図３〜５及び図８により説明したのと同様な方法で形成することができる。
【００５０】
ブランク板Ｂ3 は、糊代フラップ３５の表側を側面パネル３１の裏側に貼り合わせたサック貼り状態で折り畳まれる。そして、この折り畳んだブランク板を組み立てるには、まず折り畳んだブランク板を角筒状に起こした後、一方の端面側で端面フラップ３６，３８をそれぞれ内側に折り曲げてから、底面側端面パネル３９と上面側端面パネル３７を順次折り曲げて貼り合わせる。次いで、他方の端面側から内容物を投入してから、他方の端面側も同様に閉じる。この時、開封機構を設けた側を閉じる際には、上面側端面パネル３７における摘み部３７ａとそれに続くミシン目αで囲まれた領域を除いた部分で底面側端面パネル３９と糊付けする。このようにして図２３に示す内容物が入った紙箱Ａ3 が作製される。
【００５１】
このようにして作製した図２３の紙箱Ａ3 は、ミシン目αに沿って破断を開始するための摘み部３７ｂが底面側端面パネル３９の上に重なった状態で設けられており、その摘み部３７ａの端縁にかかる状態で凸状のエンボスＥが形成されたものとなる。そして、このタイプの紙箱は、上面側端面パネル３７の先端部分に相当する部位に糊を一筋だけ塗布して底面側端面パネル３９との貼り合わせを行えばよく、図１９に示す紙箱Ａ2 のように左右に分けて糊を塗布する必要がないため、簡単な糊付け装置で対応することができる。
【００５２】
この紙箱Ａ3 を開封するに際しては、一方の上面側端面パネル３７の摘み部３７ｂを指先で摘んで引っ張り上げる。この時、摘み部３７ｂの下には底面側端面パネル２９が位置しており、摘み部３７ｂの端縁は切込み線３７ａで形成されているが、摘み部３７ｂの端縁が２段エンボスＥにより若干浮き上がった状態になっているので、指先の引っ掛かりがよくなっている。したがって、指先で摘み部３７ｂの下にある底面側端面パネル３９を押しながら摘み部３７ｂを摘んで引っ張ることでミシン目αが破断され、摘み部３７ｂとそれに続く領域が底面側端面パネル３９から自由になり、上面側端面パネル３７の残りの部分が底面側端面パネル３９に付いた状態で端面が開封される。このように開封すると、摘み部３７ｂのあったところに、底面側端面パネル３９のスリット３９ａが現れる。そして、底面側端面パネル３９の上から上面側端面パネル３７を被せて摘み部３７ｂを底面側端面パネル３９のスリット３９ａに差し込むことで、一旦開けた紙箱Ａ3 を再封することができる。
【００５３】
図２５は本発明に係る紙箱のさらに別の例を示す斜視図、図２６は図２５の紙箱を形成するブランク板の平面図である。
【００５４】
図２５の紙箱Ａ4 も菓子類を収納するためのもので、外観は直方体形状をしており、図２６に示すブランク板Ｂ4 を組み立てて作製される。
【００５５】
ブランク板Ｂ4 は、紙器用の板紙を打ち抜いて形成したもので、図２６に示すように、折線ａ，ｂ，ｃ，ｄを介して前面外側パネル４１、上面パネル４２、背面パネル４３、底面パネル４４、前面パネル４５が順次連設されている。そして、上面パネル４２の左右辺にはそれぞれ折線ｅを介して上面側端面パネル４６が連設され、背面パネル４３の左右辺にはそれぞれ折線ｆを介して端面フラップ４７が連設され、底面パネル４４の左右辺にはそれぞれ折線ｇを介して底面側端面パネル４８が連設され、前面パネル４５の左右辺にはそれぞれ折線ｈを介して端面フラップ４９が連設されており、上面側端面パネル４６の幅は底面側端面パネル４８の幅の半分程度になっている。また、前面パネル４５の上辺側には途中にツナギのある切込み線で構成された折曲げが容易な折線ｉを介して係止片４５ａが延設されている。
【００５６】
前面外側パネル４１には、上半と下半に分けるようにその中程を横断するミシン目αが設けられており、その破断線αの中央下側には横長状の切欠部４１ａが形成され、上半においてその切欠部４１ａに向き合う部分が摘み部４１ｂになっている。また、上半の左右辺にはそれぞれ折線ｊを介して糊付け片４１ｃが設けられている。また、上面パネル４２の背面パネル側には、上面パネル４２と上面側端面パネル４６に渡って斜め方向に伸びる一対のミシン目βが設けられている。これらのミシン目α，βは開封用のミシン目であって、ミシン目βと前面外側パネル４１のミシン目αは図示のように連続する「く」の字状の切込みにより形成されており、ブランク板Ｂ4 を箱とした時に、摘み部４１ｂを摘んで引っ張ることでまずミシン目αを破断し、続いて摘み部４１ｂをそのまま引っ張ることでミシン目βを破断して、前面外側パネル４１の上半と上面パネル４２と上面側端面パネル４６の一部により構成される部分を蓋として開けることができるようになっている。
【００５７】
そして、前面外側パネル４１の摘み部４１ｂには、図示のように、端縁にかかる状態で且つ板紙の表側に膨らむ状態で半円状の２段エンボスＥが形成されている。この端縁にかかる２段エンボスＥは、先に図３〜５及び図８により説明したのと同様な方法で形成することができる。
【００５８】
ブランク板Ｂ4 は、前面パネル４５の表側を前面外側パネル４１の裏側に貼り合わせたサック貼り状態で折り畳まれる。この時、前面外側パネル４１の下半部分で前面パネル４５と糊付けする。そして、この折り畳んだブランク板を組み立てるには、まず折り畳んだブランク板を角筒状に起こした後、一方の端面側で端面フラップ４７，４９をそれぞれ内側に折り曲げてから、底面側端面パネル４８を折り曲げて貼り合わせる。続いて、前面外側パネル４１の糊付け片４１ｃを折り曲げてから、上面側端面パネル４６を折り曲げて糊付け片４１ｃに貼り合わせるとともに、上面側端面パネル４６のミシン目βより背面側を底面側端面パネル４８と貼り合わせる。次いで、他方の端面側から内容物を投入してから、他方の端面側も同様に閉じる。このようにして図２５に示す内容物が入った紙箱Ａ4 が作製される。
【００５９】
このようにして作製された図２５の紙箱Ａ4 は、開封用のミシン目αの破断を開始するための摘み部４１ｂが前面パネル４５の上に重なった状態で設けられており、その摘み部４１ｂの端縁にかかる状態で凸状のエンボスＥが形成されたものとなる。そして、このタイプの紙箱は、前面外側パネル４１の先端部分に相当する部位に糊を一筋だけ塗布して前面パネル４５との貼り合わせを行うことができ、しかも紙の厚み分の段差があるので摘み部４１ｂを摘みやすいものになっている。また、前面パネル４５において摘み部４１ｂの端縁に対応する位置に逆エンボス加工で凹部を形成しておけばさらに摘みやすくすることができる。
【００６０】
この紙箱Ａ4 を開封するに際しては、前面外側パネル４１の切欠部４１ａに指先を入れるようにして摘み部４１ｂを摘んで引っ張り上げる。この時、摘み部４１ｂの下には前面パネル４５が位置しているが、摘み部４１ｂの端縁が２段エンボスＥにより若干浮き上がった状態になっているので、指先の引っ掛かりがよくなっている。したがって、指先で摘み部４１ｂの下にある前面パネル４５を押しながら摘み部４１ｂを引っ張ることでミシン目αが破断され、それに続いてミシン目βが破断されることになり、前面外側パネル４１の上半と上面パネル４２と上面側端面パネル４６の一部により構成される部分を蓋として開封することができる。そして、開封した蓋の部分を元に戻すことで一旦開けた紙箱Ａ4 を再封することもできる。
【００６１】
なお、この紙箱Ａ4 は、前面パネル４５の上辺側に延設した係止片４５ａにより、一旦開封した蓋を閉じた時にロックできる機構を有したものになっている。すなわち、図２７に示すように、上面側端面パネル４６の内側に貼着された糊付け片４１ｃの上辺側には上面パネル４２との間に隙間ｘがあり、係止片４５ａの左右にある突出部４５ｂがこの隙間ｘに嵌まり込んでロックされる。そして、蓋を閉じて糊付け片４１ｃの上辺が突出部４５ｂの先端をはじく時に手に感触があるとともに「パチ」という音が出るので、ロック状態を確認することができる。
【００６２】
図２８は本発明に係る紙箱のさらに別の例を示す斜視図、図２９は図２８の紙箱を形成するブランク板の平面図である。
【００６３】
図２８の紙箱Ａ5 も菓子類を収納するためのもので、外観は直方体形状をしており、図２９に示すブランク板Ｂ5 を組み立てて作製される。
【００６４】
ブランク板Ｂ5 は、紙器用の板紙を打ち抜いて形成したもので、図２９に示すように、折線ａ，ｂ，ｃ，ｄを介して前面外側パネル５１、上面パネル５２、背面パネル５３、底面パネル５４、前面パネル５５が順次連設され、背面パネル５３は中央を横断する折線ｅにより上半部５３ａと下半部５３ｂとに区画されている。そして、上面パネル５２の左右辺にはそれぞれ折線ｆを介して上面側端面パネル５６が連設され、背面パネル５３の左右辺にはそれぞれ折線ｇを介して上部端面フラップ５７ａと下部端面フラップ５７ｂが連設され、底面パネル５４の左右辺にはそれぞれ折線ｈを介して底面側端面パネル５８が連設され、前面パネル５５の左右辺にはそれぞれ折線ｉを介して端面フラップ５９が連設されており、上面側端面パネル５６の幅は底面側端面パネル５８の幅の半分程度になっている。
【００６５】
前面外側パネル５１には、上半と下半に分けるようにその中程を横断するミシン目αが設けられており、その破断線αの中央下側には横長状の切欠部５１ａが形成され、上半においてその切欠部５１ａに向き合う部分が摘み部５１ｂになっている。また、上半の左右辺にはそれぞれ折線ｊを介して糊付け片５１ｃが設けられている。このミシン目αは開封用のミシン目であって、図示のように段違い状の切込みにより形成されており、ブランク板Ｂ5 を箱とした時に、摘み部５１ｂを摘んで引っ張ることでまずミシン目αを破断して、図３０に示すように、前面外側パネル５１の上半と上面パネル５２と上面側端面パネル５６と背面パネル５３の上半部５３ａとにより構成される部分を蓋として開けることができるようになっている。
【００６６】
そして、前面外側パネル５１の摘み部５１ｂには、図示のように、端縁にかかる状態で且つ板紙の表側に膨らむ状態で半円状の２段エンボスＥが形成されている。この端縁にかかる２段エンボスＥは、先に図３〜５及び図８により説明したのと同様な方法で形成することができる。さらに、前面パネル５５において摘み部５１ｂの端縁に対応する位置に逆エンボス加工で凹部５５ａを形成している。
【００６７】
ブランク板Ｂ5 は、前面パネル５５の表側を前面外側パネル５１の裏側に貼り合わせたサック貼り状態で折り畳まれる。この時、前面外側パネル５１の下半部分で前面パネル５５と糊付けする。そして、この折り畳んだブランク板を組み立てるには、まず折り畳んだブランク板を角筒状に起こした後、一方の端面側で下側端面フラップ５７ｂと端面フラップ５９をそれぞれ内側に折り曲げてから、底面側端面パネル５８を折り曲げて貼り合わせる。続いて、前面外側パネル５１の糊付け片５１ｃと背面パネル５３における上半部５３ａの上側端面フラップ５７ａを折り曲げてから、上面側端面パネル５６を折り曲げて糊付け片５１ｃ上側端面フラップ５７ａに貼り合わせる。次いで、他方の端面側から内容物を投入してから、他方の端面側も同様に閉じる。このようにして図２８に示す内容物が入った紙箱Ａ5 が作製される。
【００６８】
このようにして作製された図２５の紙箱Ａ5 は、開封用のミシン目αの破断を開始するための摘み部５１ｂが前面パネル５５の上に重なった状態で設けられており、その摘み部５１ｂの端縁にかかる状態で凸状のエンボスＥが形成されたものとなる。このタイプの紙箱Ａ5 は、前面外側パネル５１の先端部分に相当する部位に糊を一筋だけ塗布して前面パネル５５との貼り合わせを行うことができる。そして、摘み部５１ｂには紙の厚み分の段差があり、さらには凹部５５ａがあるので、摘み部５１ｂに対する指先の引っ掛かりが非常に良く、摘み部５１ｂを摘みやすいものになっている。
【００６９】
この紙箱Ａ5 を開封するに際しては、前面外側パネル５１の切欠部５１ａに指先を入れるようにして摘み部５１ｂを摘んで引っ張り上げる。この時、摘み部５１ｂの下には前面パネル５５が位置しているが、摘み部５１ｂの端縁が２段エンボスＥにより若干浮き上がった状態になっており、凹部５５ａもあるので、指先の引っ掛かりがよくなっている。したがって、指先で摘み部５１ｂの下にある前面パネル５５を押しながら摘み部５１ｂを引っ張ることでミシン目αが破断されることになり、図３０に示すように、開けたところが高級感のある状態で開封することができる。そして、開封した蓋の部分を元に戻すことで一旦開けた紙箱Ａ5 を再封することもできる。
【００７０】
以上、本発明の実施の形態について詳細に説明してきたが、本発明による紙箱とブランク板は、上記実施の形態に何ら限定されるものではなく、本発明の趣旨を逸脱しない範囲において種々の変更が可能である。
【００７１】
例えば、上記の例では、エンボスとして２段エンボスを形成する場合を例に挙げて説明したが、一段エンボスでよい場合もある。すなわち、エンボスの段数や形状は、摘み部を設ける位置やエンボスの深さ及び形状によって適宜きめればよいことである。
【００７２】
また、上記の例では、紙箱のタイプとしてシールエンド型のものを挙げたが、本発明を適用する紙箱はこのタイプに限るものではなく、板紙の上に重なった摘み部を備えていさえすれば、他のタイプの紙箱を除外するものではない。
【図面の簡単な説明】
【００７３】
【図１】本発明に係る紙箱の一例を示す斜視図である。
【図２】図１の紙箱を形成するブランク板の平面図である。
【図３】ブランク板の端縁にかかる状態で２段エンボスを形成する方法を示す説明図である。
【図４】図３における抜き刃と雌型を部分的に別の角度から見た状態で示す説明図である。
【図５】原反がプレスされてエンボスが形成された状態を示す断面図である。
【図６】通常のブランク板を作製する際に用いる抜き型を示す説明図である。
【図７】図６の抜き型を用いた場合の不具合を示す説明図である。
【図８】本発明のブランク板を作製するために用いる抜き型の説明図である。
【図９】図１に示した紙箱の第１の変形例を示す斜視図である。
【図１０】図９の紙箱を形成するブランク板の平面図である。
【図１１】図１に示した紙箱の第２の変形例を示す斜視図である。
【図１２】図１１の紙箱を形成するブランク板の平面図である。
【図１３】図１に示した紙箱の第３の変形例を示す斜視図である。
【図１４】図１３の紙箱を形成するブランク板の平面図である。
【図１５】図１に示した紙箱の第４の変形例を示す斜視図である。
【図１６】図１５の紙箱を形成するブランク板の平面図である。
【図１７】図１に示した紙箱の第５の変形例を示す斜視図である。
【図１８】図１７の紙箱を形成するブランク板の平面図である。
【図１９】本発明に係る紙箱の別の例を示す斜視図である。
【図２０】図１９の紙箱を形成するブランク板の平面図である。
【図２１】図１９に示した紙箱の変形例を示す斜視図である。
【図２２】図２１の紙箱を形成するブランク板の平面図である。
【図２３】本発明に係る紙箱のさらに別の例を示す斜視図である。
【図２４】図２３の紙箱を形成するブランク板の平面図である。
【図２５】本発明に係る紙箱のさらに別の例を示す斜視図である。
【図２６】図２５の紙箱を形成するブランク板の平面図である。
【図２７】図２５の紙箱におけるロック機構の説明図である。
【図２８】本発明に係る紙箱のさらに別の例を示す斜視図である。
【図２９】図２８の紙箱を形成するブランク板の平面図である。
【図３０】図２８の紙箱を開けた状態で示す斜視図である。
【符号の説明】
【００７４】
Ａ1 ，Ａ2 ，Ａ3 ，Ａ4 ，Ａ5   紙箱
Ｂ1 ，Ｂ2 ，Ｂ3 ，Ｂ4 ，Ｂ5   ブランク板
Ｅ  ２段エンボス
Ｓ  貼り合わせ部
ａ〜ｊ  折線
α，β，γ  ミシン目
１  押し丸罫
２  抜き刃
３  雌型
４  原反
５  木型
６  面板
７  抜き型
８  ギャップ
１１  前面外側パネル
１１ａ  摘み部
１１ｂ  凸部
１２  上面パネル
１３  背面パネル
１４  底面パネル
１５  前面パネル
１５ａ  スリット
１５ａ  凸部
１５ｂ  凹部
１６  上面側端面パネル
１７  端面フラップ
１８  底面側端面パネル
１９  端面フラップ
２１  側面パネル
２２  上面パネル
２３  側面パネル
２４  底面パネル
２５  糊付けフラップ
２６  端面フラップ
２７  上面側端面パネル
２７ａ  摘み部
２８  端面フラップ
２９  底面側端面フラップ
２９ａ  スリット
３１  側面パネル
３２  上面パネル
３３  側面パネル
３４  底面パネル
３５  糊付けフラップ
３６  端面フラップ
３７  上面側端面パネル
３７ａ  切込み線
３７ｂ  摘み部
３８  端面フラップ
３９  底面側端面フラップ
３９ａ  スリット
４１  前面外側パネル
４１ａ  切欠部
４１ｂ  摘み部
４１ｃ  糊付け片
４２  上面パネル
４３  背面パネル
４４  底面パネル
４５  前面パネル
４５ａ  折曲げ片
４６  上面側端面パネル
４７  端面フラップ
４８  底面側端面パネル
４９  端面フラップ
５１  前面外側パネル
５１ａ  切欠部
５１ｂ  摘み部
５１ｃ  糊付け片
５２  上面パネル
５３  背面パネル
５３ａ  上半部
５３ｂ  下半部
５４  底面パネル
５５  前面パネル
５５ａ  凹部
５６  上面側端面パネル
５７ａ  上部端面フラップ
５７ｂ  下部端面フラップ
５８  底面側端面パネル
５９  端面フラップ
【図１】
2007254026.tif 000003
【図２】
2007254026.tif 000004
【図３】
2007254026.tif 000005
【図４】
2007254026.tif 000006
【図５】
2007254026.tif 000007
【図６】
2007254026.tif 000008
【図７】
2007254026.tif 000009
【図８】
2007254026.tif 000010
【図９】
2007254026.tif 000011
【図１０】
2007254026.tif 000012
【図１１】
2007254026.tif 000013
【図１２】
2007254026.tif 000014
【図１３】
2007254026.tif 000015
【図１４】
2007254026.tif 000016
【図１５】
2007254026.tif 000017
【図１６】
2007254026.tif 000018
【図１７】
2007254026.tif 000019
【図１８】
2007254026.tif 000020
【図１９】
2007254026.tif 000021
【図２０】
2007254026.tif 000022
【図２１】
2007254026.tif 000023
【図２２】
2007254026.tif 000024
【図２３】
2007254026.tif 000025
【図２４】
2007254026.tif 000026
【図２５】
2007254026.tif 000027
【図２６】
2007254026.tif 000028
【図２７】
2007254026.tif 000029
【図２８】
2007254026.tif 000030
【図２９】
2007254026.tif 000031
【図３０】
2007254026.tif 000032